(57)【要約】【課題】記録密度を可変にすることが可能な多層光ディスクの記録方法、および、それに対応した記録装置を提供することを目的とする。【解決手段】記録層の論理トラックにおけるデータの記録単位の幅とそれに対応した記録密度との組合せを複数備え、任意の記録密度にて記録できるようにする。例えば、平坦な構造の少なくとも一つの記録層と、案内溝を有した少なくとも一つのガイド層とを有する光ディスクのガイド層の物理トラックが所定幅の基本単位で区切られて構成されており、ガイド層の物理トラックに平行で、かつ、同一のディスク半径位置が、記録層上の論理トラックとなるように制御し、前記物理トラックの基本単位を基準として記録層の論理トラックを区切る記録単位の幅を決定し、前記記録層の論理トラックに前記記録単位でデータを記録する。【選択図】  図４
2013206495.tif 000002
【特許請求の範囲】
【請求項１】
平坦な構造の少なくとも一つの記録層と、案内溝を有した少なくとも一つのガイド層とを有する、光ディスクの記録方法であって、
前記ガイド層の物理トラックが所定幅の基本単位で区切られて構成されており、
前記ガイド層の物理トラックに平行で、かつ、同一のディスク半径位置の位置する記録層の領域が、記録層上の論理トラックとなるように制御し、
前記物理トラックの基本単位を基準として記録層の論理トラックを区切る記録単位の幅を決定し、
前記記録層の論理トラックに前記記録単位でデータを記録することを特徴とした光ディスクの記録方法。
【請求項２】
請求項１に記載の記録方法であって、
前記基本単位によって区切られたガイド層の物理トラックの各区画に固有のアドレスが割り振られており、
記録単位によって区切られた記録層の論理トラックの各区画に割り振られるアドレスとして、対応するガイド層の物理トラック上の基本単位に割り振られたアドレスを記録することを特徴とした光ディスクの記録方法。
【請求項３】
請求項１または２に記載の記録方法であって、
前記論理トラックの記録単位の幅と、それに応じた記録密度との組合せを複数用意し、
記録単位の幅によらず、所定量のデータが丁度、記録単位一区画に収まるように記録することを特徴とした光ディスクの記録方法。
【請求項４】
請求項２に記載の光ディスクの記録方法であって、
記録単位の幅を基本単位の整数倍値Nとした場合に、
基本単位に割り振られたアドレスを前記整数倍値Nで割った場合の商を、
対応する記録単位に割り振るアドレスとして記録することを特徴とした光ディスクの記録方法。
【請求項５】
請求項２に記載の光ディスクの記録方法であって、
記録単位の幅を基本単位の整数倍値Nとした場合に、
記録単位に割り振るアドレスとしてNの整数倍値を記録することを特徴とした光ディスクの記録方法。
【請求項６】
請求項１〜５のいずれかに記載の記録方法によりデータを記録する光ディスク装置であって、
ガイド層の物理トラックよりウォブル信号を抽出するウォブル信号抽出手段と、
ウォブル信号を逓倍してチャネルクロックを生成し、かつ逓倍率の切り換えが可能なクロック生成手段を備え、
記録層によって、あるいは記録領域によって前記逓倍率を切り換えることにより、記録密度を選択して前記光ディスクにデータを記録することを特徴とする光ディスク装置。
【請求項７】
請求項１〜５のいずれかに記載の記録方法であって、
データを適切に記録できるようにデータ記録前に試し書きを行い、記録マージンを測定するステップと、
測定した記録マージンが予め定めた記録マージンより大きいかどうかを比較するステップと、
測定した記録マージンが予め定めた記録マージンより大きい場合は高記録密度を選択し、小さい場合は低記録密度を選択するステップと、
選択した記録密度情報を光ディスクに書き込むステップと、
記録層ごと、あるいは記録領域ごとに記録密度を選択し、選択した記録密度を光ディスクに書き込むステップと、
前記選択した記録密度にて前記光ディスクにデータを記録するステップとを含むことを特徴とする光ディスクの記録方法。
【請求項８】
請求項１〜５のいずれかに記載の記録方法であって、
データを確実に記録できるようにデータ記録前に欠陥検出を行い、欠陥の数を計測するステップと、
計測した欠陥の数が予め定めた閾値より多いかどうかを比較するステップと、
計測した欠陥の数が予め定めた閾値より多い場合は高記録密度を選択し、少ない場合は低記録密度を選択するステップと、
選択した記録密度を光ディスクに書き込むステップと、
記録層ごと、あるいは記録領域ごとに記録密度を選択し、選択した記録密度を光ディスクに書き込むステップと、
前記選択した記録密度にて前記光ディスクにデータを記録するステップとを含むことを特徴とする光ディスクの記録方法。
【請求項９】
請求項１〜５のいずれかに記載の記録方法であって、
データを適切に記録できるようにデータ記録前に試し書きを行い、記録マージンを測定するステップと、
データを確実に記録できるようにデータ記録前に欠陥検出を行い、欠陥の数を計測するステップと、
測定した記録マージンが予め定めた記録マージンより大きいかどうか、計測した欠陥の数が予め定めた閾値より多いかどうかにより、記録層ごとに、あるいは記録領域ごとに記録密度を選択し、選択した記録密度を光ディスクに書き込むステップと、
前記選択した記録密度にて前記光ディスクにデータを記録するステップを含むことを特徴とする光ディスクの記録方法。
【請求項１０】
請求項７〜９のいずれかに記載の記録方法であって、
光ディスクを最初に光ディスク装置に装着した際に、
全ての記録層において記録層ごと、あるいは記録領域ごとに記録密度を選択し、選択した記録密度を光ディスクに書き込み、
前記選択した記録密度にて前記光ディスクにデータを記録することを特徴とする記録方法。
【発明の詳細な説明】
【技術分野】
【０００１】
本発明は、記録層を複数有した多層光ディスクの記録方法と、それに対応した光ディスク装置に関する。
【背景技術】
【０００２】
案内溝を有さない平坦な記録層を多数積層した光ディスクが考案されている。また、バルク層に対して多層状にデータを記録する体積型の光ディスクが考案されている。これらの光ディスクは、記録用の層とは別に案内溝を有したガイド層を少なくとも一つを有しており、ガイド層と記録層それぞれにビームが照射される。
【先行技術文献】
【特許文献】
【０００３】
【特許文献１】特開２００９−２５２２９５号公報
【発明の概要】
【発明が解決しようとする課題】
【０００４】
前記特許文献１に記載されているようなガイド層と記録層とが分離された光ディスク（以下、グルーブレスディスクと呼ぶ）は、従来の光ディスクが世代を経るに連れて記録密度を高めていったのと同様に、今後、高密度化が図られることが予想される。
【０００５】
従来、複数の記録層を有するディスクにおける記録密度は各層とも同じにしていた。しかし、層数が増えると層毎の記録再生マージンのばらつきが大きくなる。従って、各層を高密度で記録しようとするとマージンの小さい層での信頼性が低下し、全ての層でのマージンを十分にとろうとすると記録密度を下げる必要があり、記録容量が低下するという問題が生じる。
【０００６】
この問題を解決する方法として、記録再生マージンの大きい層では高密度で記録を行い、マージンの小さい層では低密度で記録するように、層によって記録密度を変えることが考えられる。層により記録密度を変える方法として、層毎にＷｏｂｂｌｅ長を変える方法があるが、グルーブレスディスクではＷｏｂｂｌｅ信号を1つのサーボ層からしか得ることが出来ない。
【０００７】
本発明では１つのサーボ層から得られるＷｏｂｂｌｅ信号に対して、各層の記録密度を変えることが可能な記録方法、および、これに対応した光ディスク装置を提供することを目的とする。
【課題を解決するための手段】
【０００８】
上記目的は、一例として、特許請求の範囲に記載の発明により達成される。
【発明の効果】
【０００９】
本発明により、グルーブレスディスクにおいて、種々の密度にて記録を容易に実施できるようになる。
【図面の簡単な説明】
【００１０】
【図１】実施の形態において対象としている、ガイド層と記録層とが分離したグルーブレスディスクの一部構造を示す模式図。
【図２】実施の形態において対象としているグルーブレスディスクのガイド層のトラック構造の一例であり、単調なうねりを持った構造のトラックから、単調なウォブル信号が得られ、前記ウォブル信号よりウォブルクロックが得られることを示す図。
【図３】実施の形態において対象としているグルーブレスディスクのガイド層のトラック構造の別の一例であり、変調されたうねりを持った構造のトラックから、変調されたウォブル信号が得られ、前記ウォブル信号よりウォブルデータが得られることを示す図。
【図４】実施の形態において対象としているグルーブレスディスクにおける記録方法の一例。
【図５】実施の形態において対象としているグルーブレスディスクにおける記録方法の別の例。
【図６】本実施の形態に従った光ディスク装置の一部構成の一例。
【図７】本実施の形態に従った光ディスク装置の動作を示すフローチャートの一例。
【図８】本実施の形態に従った光ディスク装置の動作を示すフローチャートの別の例。
【図９】本実施の形態に従った光ディスク装置の動作を示すフローチャートの更に別の例。
【発明を実施するための形態】
【００１１】
（グルーブレスディスク構造）
まず、本実施の形態で対象とするグルーブレスディスクの基本的な構造を、図１、図２、および図３を用いて説明する。
【００１２】
図１は、円盤形状であるグルーブレスディスクの一部を切り出し描いた模式図である。同図には、案内溝を有したガイド層１０１と、案内溝を有さず平坦な記録層１０２を示しており、両層が平行な位置関係にあることを示している。同図に向かって左右の方向がディスク半径方向であり、奥行き方向がディスク円周方向である。図示してはいないが、ガイド層１０１の案内溝は、ディスクの中心を回転軸とする螺旋状の構造である。
【００１３】
同図では、ガイド層１０１に対して垂直にビーム１０３が照射され、記録層１０２に対して、ビーム１０４が垂直に照射されることを示しており、ビーム１０３とビーム１０４とは、異なる光束であるが、両者の光軸１０５が一致していることを示している。ガイド層１０１は、案内溝により物理的なトラックが形成されており、ガイド層１０１に照射されるビーム１０３は、案内溝に導かれ、破線にて示すトラック１０６を辿る。この時、記録層に照射されるビーム１０４の光軸をビーム１０３の光軸と一致させるよう制御すれば、トラック１０６と平行、かつ、同一のディスク半径位置にある仮想的なトラック１０７（記録層１０２上に破線にて示す）をビーム１０４が辿ることができ、案内溝を有さない記録層１０２において螺旋状にデータを記録することができる。
【００１４】
以下、ガイド層の案内溝により形成されたトラックを「物理トラック」と呼び、記録層上の仮想的なトラックを「論理トラック」と呼ぶこととする。また、ガイド層の物理トラックと同半径位置にある論理トラックを、「物理トラックと対をなす論理トラック」あるいは、「論理トラックと対をなす物理トラック」と呼ぶこととする。なお、記録層が複数存在する場合は、物理トラックと対をなす論理トラックは、複数存在することとなる。
【００１５】
ガイド層の物理トラックの側面は、図２に示す物理トラック２０１のように、蛇行したウォブル構造である。このような構造とすることで、ビームを一点鎖線にて示すようにトラックを直線状に貫くよう走査すると、同図に示すウォブル信号２０２が得られ、さらにこのウォブル信号２０２をＰＬＬ（Phase Locked Loop）などの回路に通せば、ウォブルクロック２０３が得られる。このウォブルクロックを利用すれば、ディスクへのデータ記録タイミングを計ることができる。
【００１６】
また、ガイド層の物理トラックの側面を、図３に示す物理トラック３０１のように、案内溝の一部が、他の部分とは異なる位相のうねりを持たせると、ビームが一点鎖線にて示すように直線状にトラックを走査すると、同図に示すような変調されたウォブル信号３０２が得られ、さらにこのウォブル信号３０２を復調することで、ウォブルデータ３０３が得られる。このウォブルデータからは、ガイド層におけるアドレス情報他が得られる。
【００１７】
グルーブレスディスクの記録層には、ウォブルが存在しないが、代わりにガイド層の物理トラックから得られるウォブルクロック、およびウォブルデータを用いて記録層の記録を行うことができる。
【００１８】
以上、本実施の形態対象とするグルーブレスディスクの構造について述べた。次に、本発明の実施例を説明し、本実施例に従うことで、種々の記録密度にて記録することが可能になることを示す。
【００１９】
（実施例１：記録方法１）
本実施例では、記録層の論理トラックを記録単位に区切り、記録単位に一定量のデータを記録する。記録単位は、その幅を選択できるようにし、選択した幅に応じた記録密度を設定する。これにより、記録単位の幅に適した密度にて記録を行え、所定量のデータを、記録単位幅によらず、記録単位に丁度収めることができる。以上のような記録方法とすることで、様々な密度での記録を、不都合無く実施することができるようになる。
【００２０】
図４を用いて、本実施例に従った記録方法の詳細を説明する。図４に示す基本単位４００は、ガイド層の物理トラックを所定幅に区切った様子を示す。区切られた各区画に割り振られた数値は、各区画を識別するための物理アドレスである。区画の幅は、上述した物理トラックの側面に形成されたウォブルの数によって規定し、また、区画のアドレスは、ウォブルに変調処理を施すことで各区画に固有のアドレスを割り振ることができる。
【００２１】
上記の基本単位４００を基準として、記録層の論理トラックにおける記録単位の幅を決定する。同図に示す記録単位４０１、記録単位４０２、記録単位４０３、および記録単位４０４は、記録単位の一例であり、それぞれ基本単位400の4つ分、3つ分、2つ分、および1つ分の幅である。また、記録単位４０１、記録単位４０２、記録単位４０３、および記録単位４０４に対して、それぞれ、密度１、密度２、密度３、および密度４の異なる密度にて記録を行う。
【００２２】
また、記録単位４０１、記録単位４０２、記録単位４０３、および記録単位４０４に割り振られた数値は、アドレスの一例である。物理トラックと対をなす論理トラックには、対応する物理トラックの基本単位に割り振られたアドレスに基づいたアドレスが記録単位に割り振られる。図４では、記録単位４０１、記録単位４０２、記録単位４０３、および記録単位４０４に対し、基本単位４００のアドレスをそれぞれ、４、３、２、および１で割った際の商がアドレスとして割り振られている。
【００２３】
なお、図４に示した記録単位４０１〜４０４に割り振られたアドレスは、記録層に予め記録されている訳ではなく、ガイド層の基本単位４００に割り振られたアドレスより上記規則性に従い割り出されるものである。実際に記録層にデータを記録する場合は、データと合わせてアドレス情報を記録し、データの記録した後は、記録層からもアドレスを読みとれるようにしてもよい。これにより、記録層を再生した際にアドレスが得られ、このアドレスに基づきガイド層に割り振られたアドレスを特定できるようになる。記録層が複数ある場合は、層を識別するための情報もデータ、アドレスと合わせて記録してもよい。また、図４に示した基本単位４００、および記録単位４０１〜４０４に割り振られるアドレスは、一例であり、これに限定されるものではない。
【００２４】
以下、具体的な数値を用いて、記録密度ほかを説明する。一例として、基本単位４００の幅を、２５ミリメートルと置き、この幅に１,２００,０００個のチャネルビット分のデータが丁度収まる密度を基本密度１とする。
【００２５】
基本単位４００を基準とする記録単位４０１、記録単位４０２、記録単位４０３、記録単位４０４の一区画の幅は、それぞれ、１００ミリメートル、７５ミリメートル、５０ミリメートル、２５ミリメートルである。
【００２６】
記録単位４０１〜４０４に設定された記録密度である密度１、密度２、密度３、および密度４は、基本密度１に対して、それぞれ、4分の１、３分の１、２分の１、および等倍の密度となる。従って、記録単位４０１、記録単位４０２、記録単位４０３、記録単位４０４は、それぞれ区画の幅は異なるが、いずれも、一区画にチャネルビットにして１,２００,０００個の情報が丁度格納されることになる。密度１、密度２、密度３、密度４の各密度におけるチャネルビット長は、それぞれ、８３．３ナノメートル、６２．５ナノメートル、４１．７ナノメートル、２０.８ナノメートル、である。
【００２７】
また、ディスクを回転させた際の線速度を１メートル毎秒とすると、密度１、密度２、密度３、密度４の各密度におけるチャネルクロック周波数fch1、fch2、fch3、fch4は、それぞれ、１２MHz、１６MHz、２４MHz、４８MHzである。
チャネルクロックは、ウォブルクロックを逓倍処理（ｎ倍処理：ｎは整数）することで得られ、記録を実施する際にタイミングを計るための基準となる。
ウォブルクロックの周波数をfwb1(４MHz)とした場合は、fch1、fch2、fch3、fch4を得るための逓倍率は、をそれぞれ、3倍、4倍、6倍、12倍である。
【００２８】
また、ウォブルクロックの周波数をfwb2（32MHz）とした場合は、fch1、fch2、fch3、fch4を得るための逓倍率は、それぞれ、8分の3倍、8分の4倍、8分の6倍、8分の12倍である。
【００２９】
また、ウォブルクロックの周波数をfwb3（52MHz）とした場合は、fch1、fch2、fch3、fch4を得るための逓倍率は、それぞれ、13分の3倍、13分の4倍、13分の6倍、13分の12倍である。
【００３０】
上記ウォブルクロックの周波数は、ガイド層の物理トラックに刻まれたウォブルの波長と、ディスクを回転させた際の線速度により決まる。fwb1、fwb2、fwb3は、線速度を１メートル毎秒におけるウォブルクロック周波数であるため、これら対応するウォブルの波長lwb1、lwb2、lwb3は、それぞれ、２５０ナノメートル、３１．２５ナノメートル、１９．２３ナノメートル、である。
【００３１】
本実施例では、基本単位４００の一区画幅を２５ミリメートルとしたが、基本単位４００の一区画に収まるウォブル数は、波長lwb1では、100,000個、波長lwb2では、800,000個、波長lwb3では、1,300,000個となる。ウォブルの波長が小さい程、基本単位４００の一区画に付加することのできるウォブルデータの量を増すことができ、また、ウォブルクロック周波数が高くなることから、これを利用したディスクの回転制御、記録処理における記録タイミング制御を高精度に実施することができる。なお、いずれのウォブル波長も、整数倍した値が、基本単位４００の一区間幅が一致する波長とするところが特徴の一つである。
【００３２】
以上の構成により本発明の第１の実施例では、記録層において複数の記録密度での記録が可能なグルーブレスディスクを実現することができる。
【００３３】
なお、本実施例にて用いた各種数値は、これに限定されるものではなく、基本単位、および基本密度を基準として記録層における記録単位と記録密度とが不都合なく決定できる数値であればよい。記録密度は、記録層ごとに変えてもよいし、同一の記録層において、ディスク半径方向に領域を分割し、分割した領域ごとに記録密度を設定してもよい。
【００３４】
また、選択した記録の幅と、その記録密度との組合せを記録しておくための専用の領域を光ディスクに設けてもよい。この様な専用領域を設け、選択した記録単位幅とその記録密度の組合せを同領域に記録しておくようにする。このような領域を、記録層ごとに設けてもよいし、同一記録層において複数箇所、確保してもよい。これにより、光ディスクを一度、装置から取り外し、再度、装着した場合に、同領域を装置が読み取れば、使用すべき記録密度が判明し、不適切な密度での記録を防ぐことができる。
【００３５】
（実施例２：記録方法２）
本実施例に従った別の記録方法の詳細を、図５を用いて以下説明する。
図５に示す、基本単位５００は、図４に示した基本単位400に対して半分の幅としてある。同図に示す記録単位５０１、記録単位５０２、記録単位５０３、および記録単位５０４は、それぞれ基本単位500の８つ分、７つ分、５つ分、および４つ分の幅である。また、記録単位４０１、記録単位４０２、記録単位４０３、および記録単位４０４に対して、それぞれ、密度Ａ、密度Ｂ、密度Ｃ、および密度Ｄの異なる密度にて記録を行う。
【００３６】
また、記録単位５０１、記録単位５０２、記録単位５０３、および記録単位５０４に割り振られた数値は、記録単位に割り振られたアドレスであるが、図4に示したものと別の規則性により割り振ってある。図５においては、記録単位５０１、記録単位５０２、記録単位５０３、および記録単位５０４のアドレスは、それぞれが5、4、3、および2の倍数となっており、基本単位５００に割り当てられたアドレスと一致するよう規則性を持たせてある。
【００３７】
記録単位５０１、記録単位５０２、記録単位５０３、および記録単位５０４に割り振られたアドレスは、記録層に予め記録されている訳ではなく、ガイド層の基本単位４００に割り振られたアドレスより上記規則性に従い割り出すものであることは図4に示した例と同様である。記録層にデータを記録する場合は、データと合わせてアドレス情報を記録し、データの記録した後は、記録層からもアドレスを読みとれるようにしてもよい。記録層が複数ある場合は、層を識別するための情報もデータ、アドレスと合わせて記録してもよい。なお、図５に示した基本単位５００、記録単位５０１、記録単位５０２、記録単位５０３、および記録単位５０４に割り振られるアドレスについても一例であり、これに限定されるものではない。
【００３８】
以下、具体的な数値を用いて、記録密度他の説明をする。
基本単位５００の幅を、１２．５ミリメートルと置き、この幅に１,２００,０００個のチャネルビット分のデータが丁度収まる密度を基本密度２とする。基本単位５００を基準とする記録単位５０１、記録単位５０２、記録単位５０３、記録単位５０４の一区画の幅は、それぞれ、６２．５ミリメートル、５０ミリメートル、３７．５ミリメートル、２５ミリメートルになる。
【００３９】
記録単位５０１〜５０４に設定された記録密度、密度Ａ、密度Ｂ、密度Ｃ、および密度Ｄは、基本密度２に対して、それぞれ、５分の１、４分の１、３分の１、および２分の１の密度となる。即ち、記録単位５０１、記録単位５０２、記録単位５０３、記録単位５０４は、それぞれ区画の幅は異なるが、いずれも、一区画にチャネルビットにして１,２００,０００個の情報が丁度格納されることになる。密度Ａ、密度Ｂ、密度Ｃ、密度Ｄの各密度におけるチャネルビット長は、それぞれ、５２．１ナノメートル、４１．７ナノメートル、３１．３ナノメートル、２０.８ナノメートル、となる。
【００４０】
また、ディスクを回転させた際の線速度を１メートル毎秒とすると、密度Ａ、密度Ｂ、密度Ｃ、密度Ｄの各密度におけるチャネルクロック周波数fchＡ、fchＢ、fchＣ、fchＤは、それぞれ、１９．２MHz、２４．０MHz、３２．０MHz、４８．０MHzとなる。
【００４１】
ウォブルクロックの周波数をfwb4(８MHz)とした場合は、fchＡ、fchＢ、fchＣ、fchＤを得るための逓倍率は、をそれぞれ、１０分の２４倍、１０分の３０倍、１０分の４０倍、１０分の６０倍、となる。
【００４２】
線速度１メートル毎秒においてウォブルクロック周波数fwbＤ（８MHz）となるウォブルの波長lwbＤは、１２５ナノメートルである。
【００４３】
本例では、基本単位５００の一区画幅を１２．５ミリメートルとしたが、基本単位５００一区画に収まるウォブル数は、波長lwbＤにおいて、100,000個となり、ウォブル波長を整数倍した値が、基本単位５００の一区間幅が一致する波長である。
【００４４】
以上の構成により第２の実施例では、記録層において複数の記録密度での記録が可能なグルーブレスディスクを実現することができる。
【００４５】
更に、第２の実施例では、第１の実施例よりも物理トラックの基本単位を小さくしたため、第１の実施例よりも細かな刻みで記録密度を選択できる。
【００４６】
また、ガイド層の基本単位５００に割り振られたアドレスと、記録層の記録に記録単位に割り振られたアドレスとが一対一に対応するため、記録層のアドレス用いてガイド層のアドレスを特定すること、また、その逆の特定をし易くなる。
【００４７】
(実施例３：光ディスク装置)
次に、上記の本実施例に従った光ディスクに対応した光ディスク装置の構成、及び動作について説明する。
【００４８】
図６は、本実施例に従う光ディスク装置の構成を示した図である。なお、本実施例に関わりの深い部位のみ記載しており、その他の部位については記載を省略している。
【００４９】
図６の６０１は、光ディスクのガイド層からの反射光を受光し、電気信号に変換する光検出手段である。
【００５０】
同図の６０２は、光検出器６０１からの電気信号により、ガイド層に照射されるビームの物理トラックの中心からの位置ずれ量を表すトラック誤差信号を生成するトラック誤差信号生成手段である。
【００５１】
同図の６０３は、トラック誤差信号生成手段６０２からのトラック誤差信号よりウォブル信号を抽出するウォブル信号抽出手段である。
【００５２】
同図の６０４は、ウォブル信号抽出６０３からのウォブル信号を逓倍してチャネルクロックを生成し、かつ逓倍率の切り換えが可能な逓倍率可変チャネルクロック生成手段である。
【００５３】
同図の６０５は、ウォブル信号抽出６０３からのウォブル信号に対して復調処理を施し、データを抽出するウォブルデータ復調手段である。
【００５４】
同図の６０７は、ユーザデータ、および、ウォブルデータに対して、誤り訂正符号の付加、変調処理を施し、記録用のデータに変換する記録データ生成手段である。
【００５５】
同図の６０８は、記録データ生成手段から６０７から記録データ、および、逓倍率可変チャネルクロック生成手段６０４からのチャネルクロックに従い、記録パルスを生成する記録パルス生成手段である。
【００５６】
同図の６０９は、記録パルス生成手段６０９が発生する記録パルスに従い、記録層用レーザを駆動する記録層用レーザ駆動手段である。
【００５７】
同図の６１０は、光ディスクの記録層に照射するためのビームを発光する記録層用レーザである。
【００５８】
同図の６１１は、ガイド層用レーザを駆動するガイド層用レーザ駆動手段である。
【００５９】
同図の６１２は、光ディスクのガイド層に照射するためのビームを発光するガイド層用レーザである。
【００６０】
同図の６１３は、光ディスク装置全体の動作を制御する、システム制御手段である。同手段は、装置内の各部位を制御するが、図６においては、そのことを示す制御線の記載を省略している。
【００６１】
本実施例では、光ディスクのガイド層からウォブル信号を得て、ウォブル信号を逓倍することでチャネルクロックの周波数を制御することを上述した。これは、ガイド層用レーザ駆動手段６１１の駆動によってガイド層用レーザ６１２が発光し、ガイド層にビームが照射され、ガイド層より反射された光が光検出手段６０１において電気信号に変換され、この信号がトラック誤差信号生成手段６０２、ウォブル信号抽出手段６０３を経て、逓倍率可変チャネルクロック生成手段６０４へと伝わることで達成される。逓倍率可変チャネルクロック生成手段６０４におけるクロックの逓倍処理における逓倍率は、システム制御手段６１３によって指定され、記録層や記録領域に応じて逓倍率を変えることが可能である。チャネルクロックの周波数により、記録パルス生成手段６０８が生成する記録パルス幅がされるため、結果として、記録用レーザ６１０が発光する記録ビームの発光パルス幅が制御され、記録密度の制御を行うことができる。
【００６２】
また、本実施例では、光ディスクのガイド層からウォブル信号を得て、同信号よりウォブルデータを抽出し、これを基にガイド層におけるアドレスを特定すること、さらに、ガイド層に割り振られたアドレスより記録層に割り振るアドレスを決定し、これをデータとともに記録層に記録することを上述した。
【００６３】
ガイド層のアドレスの特定は、ガイド層用レーザ駆動手段６１１の駆動によってガイド層用レーザ６１２が発光し、ガイド層にビームが照射され、ガイド層より反射された光が光検出手段６０１において電気信号に変換され、この信号がトラック誤差信号生成手段６０２、ウォブル信号抽出手段６０３を経て、ウォブルデータ復調手段６０５へと伝わることで達成される。データ復調手段６０５にて特定されてガイド層のアドレスは、記録データ生成手段６０７に伝わり、ユーザデータとともに記録用データに変換され、この記録用データが記録パルス生成手段６０８、記録層用レーザ駆動手段６０９、記録層用レーザ６１０へと伝わり、光ディスクの記録層に記録されることとなる。
【００６４】
どの記録密度にて記録するか、また、記録アドレスに割り振るアドレスをどの様な値とするかは、システム制御手段によって管理、決定される。例えば、光ディスクの使用を開始する際に実施するフォーマット処理において、各記録層の記録密度が指定され、これをシステム制御手段６１３が受付、指定記録密度にて記録が実施されるよう制御してもよい。また、システム制御手段は、指定された記録密度に関する情報を、フォーマット処理を実行する際にディスクに記録しておき、以降は、ディスクに記録しておいた記録密度情報に従って、各記録層の記録密度を決定してもよい。
【００６５】
以上の構成により本発明の第３の実施例では、記録層における記録単位の幅と記録密度の組合せを一つに限定せず、複数から選択できるようにすることで、記録層ごとに記録密度を異ならせることや、同じ記録層であっても領域によって記録密度を異ならせることが可能な光ディスク装置を実現することができる。
【００６６】
(実施例４：光ディスク装置)
図７は、第４の実施例の光ディスク装置の動作を示すフローチャートである。ステップＳ７０１において光ディスク装置に光ディスクが装着されたら、ステップＳ７０２において当該光ディスクがフォーマット処理済みかどうかを確認する。フォーマット処理済みであれば、ステップＳ７０３において光ディスクから記録密度情報を読み出し、フォーマット処理済みでなければステップＳ７０４以降でフォーマット処理およびフォーマット処理に伴う処理を行う。
【００６７】
まず、ステップＳ７０４において試し書き処理を行い、記録マージンを測定する。
【００６８】
次に、ステップＳ７０５において測定した記録マージンが予め定めた閾値より大きいかどうかを比較し、予め定めた閾値より大きい場合はステップＳ７０６において高記録密度を選択し、小さい場合はステップＳ７０７において低記録密度を選択する。例えば高記録密度とは図５の密度Ｄであり、低記録密度とは密度Ｃである。あるいは、高記録密度とは図５の密度Ｃであり、低記録密度とは密度Ｂでもよい。また、記録密度は複数の記録層の層毎に変えてもよく、更に各記録層の内外周のエリア毎に変えてもよい。
【００６９】
次に、ステップＳ７０８においてフォーマット処理を行い、ステップＳ７０９において光ディスクに記録密度情報を書き込む。
【００７０】
ステップＳ７１０において、ホストコンピュータからデータ記録コマンドあるいは再生コマンドを受け取ったら、ステップＳ７１１において該当アドレスにシークし、ステップＳ７１３においてデータ記録処理あるいは再生処理を行う。
【００７１】
再びステップＳ７１０において、ホストコンピュータからデータ記録コマンドあるいは再生コマンドを受け取ったら、ステップＳ７１１〜Ｓ７１３の処理を繰り返し、ステップＳ７１４において光ディスクが排出された場合は、処理を終了する。
【００７２】
以上の構成により本発明の第４の実施例では、記録層における記録単位の幅と記録密度の組合せを一つに限定せず、複数から選択できるようにし、光ディスクの各層あるいは内外周の各エリアの記録マージンに基づき、光ディスク装置が自動的に記録密度を決定することができる。
【００７３】
また、決定した記録密度を光ディスクに書き込んでおくことにより、次に記録再生する際に光ディスクから読み出して、その記録密度で記録再生を行うことができる。
【００７４】
(実施例５：光ディスク装置)
図８は、第５の実施例の光ディスク装置の動作を示すフローチャートである。
ステップＳ８０１において光ディスク装置に光ディスクが装着されたら、ステップＳ８０２において当該光ディスクがフォーマット処理済みかどうかを確認する。フォーマット処理済みであれば、ステップＳ８０３において光ディスクから記録密度情報を読み出し、フォーマット処理済みでなければステップＳ８０４以降でフォーマット処理およびフォーマット処理に伴う処理を行う。
【００７５】
まず、ステップＳ８０４において試し書き処理を行い、記録マージンを測定し、欠陥検出処理を行い、欠陥の数を計測する。
次に、ステップＳ８０５において測定した記録マージンが予め定めた閾値より大きいかどうかを比較し、予め定めた閾値より大きい場合はステップＳ８０６において高記録密度を選択し、小さい場合はステップＳ８０８により中記録密度を選択する。ただし、ステップＳ８０７において計測した欠陥の数が予め定めた閾値よりも多いかどうかを比較し、予め定めた閾値よりも多い場合にはステップＳ８０９により低記録密度を選択する。例えば高記録密度とは図５の密度Ｄであり、中記録密度とは密度Ｃであり、低記録密度とは密度Ｂである。あるいは、高記録密度とは図５の密度Ｃであり、中記録密度とは密度Ｂであり、低記録密度とは密度Ａでもよい。また、記録密度は複数の記録層の層毎に変えてもよく、更に各記録層の内外周のエリア毎に変えてもよい。
【００７６】
次に、ステップＳ８１０においてフォーマット処理を行い、ステップＳ８１１において光ディスクに記録密度情報を書き込む。
ステップＳ８１２において、ホストコンピュータからデータ記録コマンドあるいは再生コマンドを受け取ったら、ステップＳ８１３においてシーク先の記録密度を設定し、ステップＳ８１４において該当アドレスにシークし、ステップＳ８１５においてデータ記録処理あるいは再生処理を行う。
再びステップＳ８１２において、ホストコンピュータからデータ記録コマンドあるいは再生コマンドを受け取ったら、ステップＳ８１３〜Ｓ８１５の処理を繰り返し、ステップＳ８１６において光ディスクが排出された場合は、処理を終了する。
【００７７】
以上の構成により本発明の第５の実施例では、記録層における記録単位の幅と記録密度の組合せを一つに限定せず、複数から選択できるようにし、光ディスクの記録マージンと欠陥の多さに基づき、光ディスク装置が自動的に記録密度を決定することができる。
光ディスクの欠陥が多いかどうかでも記録密度を切り換えるようにしたため、第４の実施例よりも細かく記録密度を決定することができる。
また、決定した記録密度を光ディスクに書き込んでおくことにより、次に記録再生する際に光ディスクから読み出して、その記録密度で記録再生を行うことができる。
【００７８】
(実施例６：光ディスク装置)
図９は、第６の実施例の光ディスク装置の動作を示すフローチャートである。ステップＳ９０１において光ディスク装置に光ディスクが装着されたら、ステップＳ９０２において当該光ディスクの当該層がフォーマット処理済みかどうかを確認する。フォーマット処理済みであれば、ステップＳ９０３において光ディスクから記録密度情報を読み出し、フォーマット処理済みでなければステップＳ９０４以降でフォーマット処理およびフォーマット処理に伴う処理を行う。
【００７９】
まず、ステップＳ９０４において試し書き処理を行い、記録マージンが予め定めた閾値より大きい場合はステップＳ９０６において高記録密度を選択し、小さい場合はステップＳ９０８により中記録密度を選択する。ただし、ステップＳ９０７において欠陥が予め定めた閾値よりも多い場合にはステップＳ９０９により低記録密度を選択する。例えば高記録密度とは図５の密度Ｄであり、中記録密度とは密度Ｃであり、低記録密度とは密度Ｂである。あるいは、高記録密度とは図５の密度Ｃであり、中記録密度とは密度Ｂであり、低記録密度とは密度Ａでもよい。また、記録密度は各記録層の内外周のエリア毎に変えてもよい。
【００８０】
次に、ステップＳ９１０においてフォーマット処理を行い、ステップＳ９１１において光ディスクに記録密度情報を書き込む。
【００８１】
次にステップＳ９１２において、全記録層が終了したかどうかを確認し、終了していない場合はステップＳ９１３において次の記録層にジャンプして、ステップＳ９０３あるいはステップＳ９０４〜Ｓ９１１の処理を繰り返し、全記録層についてディスクに記録密度情報を書き込む。記録密度は複数層の層毎に変えてもよい。
【００８２】
ステップＳ９１４において、ホストコンピュータからデータ記録コマンドあるいは再生コマンドを受け取ったら、ステップＳ９１５においてシーク先の記録密度を設定し、ステップＳ９１６において該当アドレスにシークし、ステップＳ９１７においてデータ記録処理あるいは再生処理を行う。
【００８３】
再びステップＳ９１８において、ホストコンピュータからデータ記録コマンドあるいは再生コマンドを受け取ったら、ステップＳ９１５〜Ｓ９１７の処理を繰り返し、ステップＳ９１８において光ディスクが排出された場合は、処理を終了する。
【００８４】
以上の構成により本発明の第６の実施例では、記録層における記録単位の幅と記録密度の組合せを一つに限定せず、複数から選択できるようにし、光ディスクの記録マージンと欠陥の多さに基づき、光ディスク装置が自動的に記録密度を決定することができる。
【００８５】
また、全記録層の記録密度を各々自動的に決定し、決定した記録密度を光ディスクに書き込んでおくことにより、次に記録再生する際に光ディスクから読み出して、その記録密度で記録再生を行うことができる。
【００８６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００８７】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード等の記録媒体に置くことができる。
【００８８】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００８９】
４００・・・基本単位（物理トラック）
４０１・・・記録単位（論理トラック・密度１）
４０２・・・記録単位（論理トラック・密度２）
４０３・・・記録単位（論理トラック・密度３）
４０４・・・記録単位（論理トラック・密度４）
５００・・・基本単位（物理トラック）
５０１・・・記録単位（論理トラック・密度Ａ）
５０２・・・記録単位（論理トラック・密度Ｂ）
５０３・・・記録単位（論理トラック・密度Ｃ）
５０４・・・記録単位（論理トラック・密度Ｄ）
【図１】
2013206495.tif 000003
【図２】
2013206495.tif 000004
【図３】
2013206495.tif 000005
【図４】
2013206495.tif 000006
【図５】
2013206495.tif 000007
【図６】
2013206495.tif 000008
【図７】
2013206495.tif 000009
【図８】
2013206495.tif 000010
【図９】
2013206495.tif 000011